(57)【特許請求の範囲】
【請求項１】
サクションカテーテルにおいて、
チューブ状の基材本体であって、近位端部と遠位端部を備え、内部に少なくとも排出用内腔が延在する、基材本体と、
前記排出用内腔に接続されたサクションインレットであって、前記遠位端部に近くかつ所与の距離だけ離れた位置の前記基材本体内部に配置された、サクションインレットと、
前記サクションインレットから遠くに延び前記遠位端部まで延在する、予め形成されたカーブした柔軟な、当該サクションカテーテルの先端であって、前記サクションインレットが向いた方向に湾曲する、先端と、
基材本体内部に延び、前記サクションインレットの遠位端部の近くで前記サクションインレットに沿って反対の近位側向きとなるジェットノズルとして末端となり排出用内腔に通ずる、加圧内腔であって、前記ジェットノズルからの流体ジェットによって吸引作用を生じさせ前記排出用内腔からの排出を可能とするように前記ジェットノズルは前記排出用内腔の前記サクションインレットに沿った近位方向を向いている、加圧内腔と、
を具備する、サクションカテーテル。
【請求項２】
請求項１に記載のサクションカテーテルにおいて、
前記予め形成されたカーブは豚の尾タイプである、サクションカテーテル。
【請求項３】
請求項１または２に記載のサクションカテーテルにおいて、
前記排出用内腔は前記サクションインレットまで延在し、
前記遠位端部まで延在するガイドワイヤー用内腔をさらに具備する、サクションカテーテル。
【請求項４】
請求項３に記載のサクションカテーテルにおいて、
前記ガイドワイヤー用内腔は前記サクションインレットの遠位に配置された開口から延在する、サクションカテーテル。
【発明の詳細な説明】
【０００１】
【発明の属する技術分野】
本発明は近位端部と遠位端部を備えた、内部に少なくとも排出用内腔が延在するチューブ状基材本体を有するサクションカテーテルに関する。遠位端部はサクションカテーテルのサクションインレットに接続されている。
【０００２】
【従来の技術及び発明が解決しようとする課題】
上記サクションカテーテルは知られている。サクションカテーテルは患者の血流から血栓を除去するために使用する。周知のサクションカテーテルを使用する場合、サクションインレットを患者の血流内部の目標（ターゲット）に配置する手順を行なうことが医師にとって困難なことがある。
【０００３】
【課題を解決するための手段】
特許請求の範囲の請求項１で特徴付けた本発明に係るサクションカテーテルによってこの欠点が解消された。肺動脈のような太い血管に関係する場合も、このサクションカテーテルの使用が予め形成された曲がった柔軟な先端によって簡単になる。
【０００４】
さらに有利な開発は後に示す実施態様（１）に特徴付けた。この手段によってサクションインレットが血管の壁に付着しなくなる。先端が予め曲げて形成されてあるため血管の壁からある距離に確実に保持される。
【０００５】
後に示す実施態様（２）で特徴付けたようにサクションカテーテルは取り扱いが容易であることがわかった。
【０００６】
後に示す実施態様（３）に説明した手段を使用することが好ましい。この場合、カテーテルをガイドワイヤーでガイドすることができる。
【０００７】
後に示す実施態様（４）に説明した手段を有利な方法でさらに使用できる。その場合、近位端部からサクションインレットまで延在する基材本体の部位に、ガイドワイヤー用内腔がスペースを取らないように、ガイドワイヤー用内腔は、端部部位にだけ実質的に延在する。従って、排出用内腔は最大の断面を取ることができる。
【０００８】
本発明は後に示す実施態様（５）で特徴付けたようにサクションカテーテルで適切な方法で使用することができる。
【０００９】
本発明を図面に示した本発明に係るサクションカテーテルに関して以下詳細に説明する。
【００１０】
【発明の実施の形態】
図１に示したカテーテル１は基材本体２を有し、その基材本体（basic body）２には遠位端部から少し離れた所にサクションインレット（吸込み口）４が形成されている。このサクションインレット４は、この開口４から手前向きにこのカテーテル１の近位端部まで達する排出用内腔３と接続している。そこで排出用内腔３は開口して排出接続部１０になる。予め形成されて曲がった（カーブした）柔軟な先端５はサクションインレット４から遠くに延び遠位端部まで達する。先端の曲がりは豚の尾の形態である。
【００１１】
図からわかるように、先端５はサクションインレット４が向いている方向にカーブしている。その結果、サクションインレット４はカテーテル１を導入した血管の壁からある距離にいつも保持される。
【００１２】
図１に示したカテーテル１は、サクションインレット４でのサクション作用が排出作用によって行なわれる好ましい実施態様である。加圧内腔６は、基材本体２内部に配置してあり、サクションインレット４の比較的遠位端部の近くで、すなわち、図１の左側で、排出用内腔３のサクションインレット４に沿って反対の近位側向きになっているジェットノズル７が末端になる。
【００１３】
図２でさらに詳細にわかるように、流体ジェットはジェットノズル７によって開口４に沿って向けることができ、その結果として排出作用によりサクションがサクションインレット４で起きる。吸引された材料は、ジェットノズル７から排出用内腔３を介して放出接合部１０まで排出される液体によって送り出される。
【００１４】
近位端部では加圧内腔６を加圧接接続部１１に接続する。
カテーテル１を導入するために、カーブした先端５はガイドワイヤー１３を使用することにより真っ直ぐにすることができる。ガイドワイヤー１３はその目的のために基材本体２内部に配置されたガイドワイヤー用内腔８を前進する。近位端部でこのガイドワイヤー用内腔８をガイドワイヤー用接合部１２に接続する。
【００１５】
図１と図４の接合部１０、１１、１２はただ概略的に図示されていることに留意する必要がある。上記の目的で使用するカテーテルには、近位端部に、カテーテルの内腔を介して血液が望ましくなく漏れるのを防止するために止血装置が設けられている。
【００１６】
図４でわかるように、カーブした予め形成された先端５を備えたカテーテル１は、太い血管で使用することができ、心臓１５を介して肺動脈に送り込むこともできる。予め形成されたカーブのためサクションインレット４は要求通りに安定して配置される。サクションインレット４は、カーブ５により血管壁からある距離に保持されるので、血管壁に付着するはずがない。
【００１７】
図示した実施態様の例としてのガイドワイヤー用内腔は、丁度、近位端部から遠位端部まで延在するが、本発明に係るカテーテルを「迅速交換タイプ」の実施態様に備えることもできる。その場合、ガイドワイヤー用内腔は、遠位端部からある制限された距離に配置した基材本体２の壁の開口から、遠位端部まで延在する。そのような実施態様については、ガイドワイヤー用内腔を適切な方法で端部部位にのみ形成することができる。その場合、ガイドワイヤー用内腔は、排出用内腔３と加圧内腔６が延在する基材本体の部位にはスペースを取らない。その場合、これら排出用内腔３と加圧内腔６には排出作用のために最適な断面が設けられる。
【００１８】
適切な方法であればどのような方法でも、例えば接着や溶接によって、先端をカテーテルの残りの部分に接続してもよい。カーブを特定の形状にすることにより所定の動作位置に適用することができる。先端をＸ線スクリーンで適切に見ることができるように、先端をＸ線に不透過なプラスチック材料から適当な方法で製造した。
【００１９】
この発明の具体的な実施態様は以下の通りである。
（Ａ）近位端部と遠位端部を備えた、内部に少なくとも排出用内腔が延在するチューブ状基材本体を有するサクションカテーテルであって、前記排出用内腔に接続したサクションインレットを前記遠位端部から少し離れた所の前記基材本体内部に配置し、予め形成されたカーブした柔軟な先端が前記サクションインレットから前記遠位端部まで延在するサクションカテーテル。
（１）前記柔軟な先端は、前記サクションインレットが向いている方向に予め形成してカーブさせる実施態様（Ａ）に記載のサクションカテーテル。
（２）前記予め形成されたカーブは豚の尾タイプである実施態様（Ａ）あるいは実施態様（１）に記載のサクションカテーテル。
（３）前記排出用内腔は前記サクションインレットまで延在し、ガイドワイヤー用内腔は遠位端部まで延在する実施態様（Ａ）、実施態様（１）、及び実施態様（２）のいずれか１つに記載のサクションカテーテル。
（４）前記ガイドワイヤー用内腔は遠位に配置した開口からサクションインレットまで延在する実施態様（３）に記載のサクションカテーテル。
（５）前記サクションインレットの比較的遠位端部の近くで、排出用内腔のサクションインレットに沿った方向に向いたジェットノズルが末端となる加圧内腔が基材本体内部で延びる実施態様（Ａ）及び実施態様（１）ないし（４）のいずれか１つに記載のサクションカテーテル。
【００２０】
【発明の効果】
以上説明したように、本発明によれば、血管壁に付着することなく容易に目標位置にサクションインレット部を配置することが可能なサクションカテーテルを提供することができる。
【図面の簡単な説明】
【図１】本発明の１つの実施態様に係るサクションカテーテルの部分破断図を示す。
【図２】図１の矢印ＩＩで示した拡大部分の拡大詳細図を示す。
【図３】図２のラインＩＩＩ−ＩＩＩの断面図を示す。
【図４】サクションカテーテルの使用を概略的に示す図である。
【図１】
0004108153.tif 000002
【図２】
0004108153.tif 000003
【図３】
0004108153.tif 000004
【図４】
0004108153.tif 000005